(57)【要約】【課題】他のユーザが使用する撮像装置であっても画像ファイルの転送を制限することを可能にした通信機能付き記録媒体を提供する。【解決手段】外部にデータを転送する通信機能を有し、デジタルカメラに装着可能な無線ＬＡＮ機能付き記録メディア３００は、通信機能の有効及び無効を自身で設定することができる。無線ＬＡＮ機能付き記録メディア３００は、デジタルカメラの個体識別情報であるＢｏｄｙＩＤを記憶することができる。デジタルカメラ１００に装着された際に、該デジタルカメラのＢｏｄｙＩＤを取得し、この取得したＢｏｄｙＩＤと記憶したＢｏｄｙＩＤとを比較して、これらＢｏｄｙＩＤが一致した場合、通信機能を有効にする。【選択図】図３
2014225779.tif 000002
【特許請求の範囲】
【請求項１】
外部にデータを転送する通信機能を有し、撮像装置に装着可能な通信機能付き記録媒体であって、
通信機能の有効及び無効を設定する制御手段と、
撮像装置の個体識別情報を記憶する記憶手段と、
撮像装置に装着された際に、該撮像装置の個体識別情報を取得する取得手段と、
前記記憶手段に記憶した撮像装置の個体識別情報と前記取得手段によって取得した撮像装置の個体識別情報とを比較する比較手段とを備え、
前記制御手段は、前記比較手段による比較の結果、これら個体識別情報が一致した場合、通信機能を有効にすることを特徴とする通信機能付き記録媒体。
【請求項２】
前記制御手段は、前記記憶手段に撮像装置の個体識別情報を記憶する際に、通信機能を無効に設定することを特徴とする請求項１に記載の通信機能付き記録媒体。
【請求項３】
前記記憶手段に記憶された撮像装置の個体識別情報を消去する消去手段を備えたことを特徴とする請求項１又は２に記載の通信機能付き記録媒体。
【請求項４】
前記制御手段は、前記消去手段によって前記記憶手段から撮像装置の個体識別情報を消去する際に、通信機能を有効に設定することを特徴とする請求項３に記載の通信機能付き記録媒体。
【請求項５】
前記記憶手段に撮像装置の個体識別情報が記憶されていない場合、通信機能は有効に設定されていることを特徴とする請求項１乃至４のいずれか１項に記載の通信機能付き記録媒体。
【請求項６】
撮像装置に装着された際に、前記記憶手段に撮像装置の個体識別情報が記憶されていない場合、前記取得手段によって該撮像装置の個体識別情報を取得して、前記記憶手段に記憶することを特徴とする請求項１乃至５のいずれか１項に記載の通信機能付き記録媒体。
【請求項７】
外部にデータを転送する通信機能を有し、撮像装置に装着可能な通信機能付き記録媒体の制御方法であって、
撮像装置に装着された際に、該撮像装置の個体識別情報を取得する取得ステップと、
撮像装置の個体識別情報を記憶する記憶手段に記憶した撮像装置の個体識別情報と前記取得ステップによって取得した撮像装置の個体識別情報とを比較して、これら個体識別情報が一致した場合、通信機能を有効にする制御ステップとを有することを特徴とする通信機能付き記録媒体の制御方法。
【請求項８】
外部にデータを転送する通信機能を有し、撮像装置に装着可能な通信機能付き記録媒体を制御するためのプログラムであって、
通信機能の有効及び無効を設定する制御手段と、
撮像装置の個体識別情報を記憶する記憶手段と、
撮像装置に装着された際に、該撮像装置の個体識別情報を取得する取得手段と、
前記記憶手段に記憶した撮像装置の個体識別情報と前記取得手段によって取得した撮像装置の個体識別情報とを比較する比較手段としてコンピュータを機能させ、
前記制御手段は、前記比較手段による比較の結果、これら個体識別情報が一致した場合、通信機能を有効にすることを特徴とするプログラム。
【発明の詳細な説明】
【技術分野】
【０００１】
本発明は、外部にデータを転送する通信機能を有し、撮像装置に装着可能な通信機能付き記録媒体、その制御方法及びプログラムに関する。
【背景技術】
【０００２】
デジタルスチルカメラ（以下、デジタルカメラという）で撮影した画像の画像ファイルは、一般的に、保管することを目的としてパーソナルコンピュータ（以下、ＰＣという）に保存する。例えばデジタルカメラや、デジタルカメラに挿入していた記録メディアをＰＣに接続して、画像ファイルを転送する。
また、近年では、無線ＬＡＮ機能を内蔵したデジタルカメラや、無線ＬＡＮ機能を搭載した記録メディアが登場している。これらは、ＤＣＦ規格に準拠したディレクトリに所定の形式で画像ファイルが記録されたとき、そのファイルを自動的に転送する。転送先として、ＰＣやネットワークストレージに設定することにより、デジタルカメラで撮影した後、画像ファイルをすぐにＰＣやネットワークストレージに転送することが可能である。
特許文献１では、パスワード認証や生態認証等によりユーザ情報の認証を行い、認証に成功したときに、画像ファイルの転送等を許可するデジタルカメラが開示されている。
【先行技術文献】
【特許文献】
【０００３】
【特許文献１】特開２００６−１８０１４０号公報
【発明の概要】
【発明が解決しようとする課題】
【０００４】
しかしながら、上述の特許文献に開示された従来技術では、デジタルカメラがユーザ情報の認証を行い、デジタルカメラの機能を制限する。そのため、画像ファイルの転送機能を持つ記録メディアを貸与した場合、他のユーザが使用するデジタルカメラに認証機能がなければ、画像ファイルの転送を制限することができない。
【０００５】
そこで、本発明の目的は、他のユーザが使用する撮像装置であっても画像ファイルの転送を制限することを可能にした通信機能付き記録媒体を提供することである。
【課題を解決するための手段】
【０００６】
本発明の通信機能付き記録媒体は、外部にデータを転送する通信機能を有し、撮像装置に装着可能な通信機能付き記録媒体であって、通信機能の有効及び無効を設定する制御手段と、撮像装置の個体識別情報を記憶する記憶手段と、撮像装置に装着された際に、該撮像装置の個体識別情報を取得する取得手段と、前記記憶手段に記憶した撮像装置の個体識別情報と前記取得手段によって取得した撮像装置の個体識別情報とを比較する比較手段とを備え、前記制御手段は、前記比較手段による比較の結果、これら個体識別情報が一致した場合、通信機能を有効にすることを特徴とする。
【発明の効果】
【０００７】
本発明によれば、他のユーザが使用する撮像装置であっても画像ファイルの転送を制限することを可能にした通信機能付き記録媒体を提供することができる。
【図面の簡単な説明】
【０００８】
【図１】第１の実施形態に係るデジタルカメラの概略構成を示すブロック図である。
【図２】第１の実施形態に係るＰＣの概略構成を示すブロック図である。
【図３】第１の実施形態に係る無線ＬＡＮ機能付き記録メディアの概略構成を示すブロック図である。
【図４】第１の実施形態に係るデジタルカメラとＰＣと無線ＬＡＮ機能付き記録メディアとを接続した状態を示すブロック図である。
【図５】第１の実施形態においてＰＣを利用して無線ＬＡＮ機能付き記録メディアにＢｏｄｙＩＤを登録する際のＰＣの処理手順を示すフローチャートである。
【図６】図５のＢｏｄｙＩＤの登録解除処理手順を示すフローチャートである。
【図７】第１の実施形態におけるＰＣでの転送設定画面の一例を示す図である。
【図８】第１の実施形態においてＰＣを利用して無線ＬＡＮ機能付き記録メディアにＢｏｄｙＩＤを登録する際の無線ＬＡＮ機能付き記録メディアの処理手順を示すフローチャートである。
【図９】図８のＢｏｄｙＩＤの登録解除処理手順を示すフローチャートである。
【図１０】第１の実施形態においてＰＣを利用して無線ＬＡＮ機能付き記録メディアにＢｏｄｙＩＤを登録する際のデジタルカメラの処理手順を示すフローチャートである。
【図１１】第１の実施形態において無線ＬＡＮ機能付き記録メディアがＢｏｄｙＩＤを認証する際の無線ＬＡＮ機能付き記録メディアの処理手順を示すフローチャートである。
【図１２】第１の実施形態において無線ＬＡＮ機能付き記録メディアがＢｏｄｙＩＤを認証する際のデジタルカメラの処理手順を示すフローチャートである。
【図１３】第２の実施形態において無線ＬＡＮ機能付き記録メディアがＢｏｄｙＩＤを認証する際の無線ＬＡＮ機能付き記録メディアの処理手順を示すフローチャートである。
【図１４】図１３のＢｏｄｙＩＤの登録処理手順を示すフローチャートである。
【図１５】第２の実施形態において無線ＬＡＮ機能付き記録メディアがＢｏｄｙＩＤを認証する際のデジタルカメラの処理手順を示すフローチャートである。
【図１６】図１５のＢｏｄｙＩＤの登録処理手順を示すフローチャートである。
【発明を実施するための形態】
【０００９】
以下、添付図面を参照して、本発明の好適な実施形態について説明する。以下では、本発明の実施形態に係る通信機能付き記録媒体として、無線ＬＡＮ機能付き記録メディアを取り上げることとする。また、本発明の実施形態に係る情報処理装置として、ＰＣを取り上げることとする。また、本発明の実施形態に係る撮像装置として、デジタルカメラを取り上げることとする。
【００１０】
［第１の実施形態］
＜デジタルカメラの構成＞
図１は、実施形態に係る撮像装置としてのデジタルカメラ１００の概略構成を示すブロック図である。なお、撮像装置とは、デジタルカメラ以外にも、デジタルビデオカメラ等、被写体を撮像し画像データを得る装置を含む。
デジタルカメラ１００は、光学系１０１と、撮像素子１０２と、ＣＰＵ１０３と、ＲＡＭ１０４と、フラッシュメモリ１０５と、記憶媒体１０６と、表示部１０７と、操作部１０８と、通信部１０９とを備える。
【００１１】
光学系１０１は、レンズ、シャッター、絞りから構成されており、被写体からの光を適切な量とタイミングで撮像素子１０２に結像させる。撮像素子１０２は、光学系１０１を通って結像した光を画像に変換する。
ＣＰＵ１０３は、入力された信号やプログラムに従って、各種の演算や、デジタルカメラ１００を構成する各部分の制御、具体的には撮像制御、表示制御、記憶制御、通信制御等を行う。ＲＡＭ１０４は、一時的なデータを記憶し、ＣＰＵ１０３の作業用に使われる。フラッシュメモリ１０５は、デジタルカメラ１００を制御するためのプログラム（ファームウェア）や各種の設定情報を記憶する。記憶媒体１０６は、撮影した画像データ等を記憶する。なお、本実施形態における記憶媒体１０６は、着脱可能ないわゆるメモリカードであり、ＰＣ等に装着してデータを読み出すことが可能である。つまり、デジタルカメラ１００は記憶媒体１０６へのアクセス手段を有し、記憶媒体１０６へのデータの読み書きが行えればよい。
【００１２】
表示部１０７は、撮影時のビューファインダー画像の表示、撮影した画像の表示、対話的な操作のための文字表示等を行う。なお、表示部１０７はデジタルカメラ１００が備える必要はなく、デジタルカメラ１００は表示部１０７の表示を制御する表示制御機能を有していればよい。操作部１０８は、使用者の操作を受け付けるためのものである。操作部１０８は、例えばボタンやレバー、タッチパネル等を用いることが可能である。
通信部１０９は、外部装置と接続し制御コマンドやデータの送受信を行う。接続を確立し、データ通信するためのプロトコルとしては、例えばＰＴＰ（Picture Transfer Protocol）が用いられる。なお、通信部１０９は、例えばＵＳＢ（Universal Serial Bus）ケーブル等の有線接続により通信を行ってもよい。また、無線ＬＡＮ等の無線接続により通信を行ってもよい。また、外部装置と直接接続してもよいし、サーバを経由したり、インターネット等のネットワークを介したりして外部装置と接続してもよい。
なお、デジタルカメラ１００の制御は、１つのハードウェアで行ってもよいし、複数のハードウェアが処理を分担しながら、デジタルカメラ１００における処理を実行する手段として機能してもよい。
【００１３】
＜ＰＣの構成＞
図２は、実施形態に係る情報処理装置としてのＰＣ２００の概略構成を示すブロック図である。ＰＣ２００は、無線通信により外部装置へデータを供給する撮像装置からデータを取得する。
ＰＣ２００は、ＣＰＵ２０１、ＲＡＭ２０２、ＨＤＤ２０３、外部記録装置２０４、無線インターフェイス２０５、ＶＲＡＭ２０６、表示装置２０７、サウンドデバイス２０８、キーボード２０９及びポインティングデバイス２１０を備える。また、ＰＣ２００は、印刷装置２１１及び通信インターフェイス２１２を備える。
【００１４】
ＣＰＵ２０１は、入力信号やプログラムに基づき、情報処理装置の表示制御、記録制御、通信制御等を実現する。ＲＡＭ２０２には、プログラムや画像データが展開される。プログラムは、画像表示や画像処理を制御するためのプログラムコードであり、ＣＰＵ２０１によって実行される。その他、ＲＡＭ２０２は、ＣＰＵ２０１のワーク領域、エラー処理時のデータの退避領域等として使用される。ＨＤＤ２０３は、画像表示装置で実行される各制御プログラムや、画像ファイルやテキストファイル等のコンテンツファイル等を格納する。
外部記録装置（Removable Drive）２０４は、外部記録媒体に対して読み出し及び書き込みを行う装置である。プログラムや画像データが外部記録媒体に記録されている場合、これらは外部記録装置２０４を介してＲＡＭ２０２にロードされる。外部記録装置２０４には、例えばＤＶＤ-ＲＷドライブ、ＣＤ-ＲＯＭ、ＣＤ-Ｒ、ＤＶＤ-ＲＡＭ等の光ディスクや、フレキシブルディスク、ＭＯ等の磁気ディスク、またフラッシュメモリ等の不揮発性メモリが含まれる。
【００１５】
無線インターフェイス２０５は、外部装置との通信を行うためのインターフェイスである。このデバイスを介して、ＰＣ２００は外部装置との無線通信を行うことができる。
ＶＲＡＭ２０６は、画像データや実行されたプログラムのＵＩ等の映像信号を出力する。
表示装置２０７は、ＶＲＡＭ２０６に入力された映像信号の表示処理を行う。表示装置２０７には、例えばＣＲＴやＬＣＤを用いることができる。また、ＳＥＤ（Surface-Conduction Electron-emitter Display）やＥＬ（Electro Luminescent）を用いることができる。サウンドデバイス２０８は、例えば画像データに添付されている音声データを処理し、スピーカ等に転送する。キーボード２０９は、文字等を入力するための各種キーを有する。ポインティングデバイス２１０として、例えばマウスパッドが挙げられる。ポインティングデバイス２１０は、表示装置２０７の表示画面上に表示されたマウスポインタを制御し、プログラムのメニューやその他のオブジェクトを操作するために使用される。
【００１６】
通信インターフェイス２１２は、例えばＵＳＢ規格に従ったインターフェイスであり、デジタルカメラ１００の通信部１０９を介してデジタルカメラ１００と通信するために用いられる。本実施形態ではＵＳＢを用いるが、もちろんＬＡＮやＢｌｕｅＴｏｏｔｈ（登録商標）等、他の規格を用いてもよい。上位層でデジタルカメラ１００と通信するためのプロトコルとして、例えばＰＴＰ（Picture Transfer Protocol）規格があげられる。ＰＣ２００は、この通信インターフェイス２１２を用いて、外部デバイスとデータを送受信することが可能となる。本実施形態では、ＨＤＤ２０３に記録されたプログラムや画像ファイルをＲＡＭ２０２にロードし、ＣＰＵ２０１がプログラムを実行することにより、ＰＣ２００を通信装置として機能させる。
なお、本実施形態では無線インターフェイス２０５と通信インターフェイス２１２とを別個のデバイスとして記載したが、例えばＰＣ２００は、両者の機能を備えた１つのチップを有してもよい。
【００１７】
＜無線ＬＡＮ機能付き記録メディアの構成について＞
図３は、実施形態に係る通信機能付き記録媒体としての無線ＬＡＮ機能付き記録メディア３００の概略構成を示すブロック図である。
無線ＬＡＮ機能付き記録メディア３００は、接続コネクタ３０１、マイコン３０２、無線通信回路部３０３、メモリ回路部３０４を備える。
【００１８】
接続コネクタ３０１は、無線ＬＡＮ機能付き記録メディア３００とデジタルカメラ１００、或いは、その他の情報処理装置等との接続を行い、データの受け渡しを行う接続インターフェイスである。この接続コネクタ３０１によって無線ＬＡＮ機能付き記録メディア３００とデジタルカメラ１００とが機械的に結合されるとともに、電気的にも接続される。無線ＬＡＮ機能付き記録メディア３００が接続コネクタ３０１によってデジタルカメラ１００に接続されると、無線ＬＡＮ機能付き記録メディア３００は、電源ラインを介してデジタルカメラ１００から電力の供給を受ける。そして、図示しないリセット回路により無線ＬＡＮ機能付き記録メディア３００は初期化されて動作を開始し、バスラインを介してデジタルカメラ１００と通信を行う。
マイコン３０２は、内部にメモリを備え、このメモリに予め格納された制御手順により、接続コネクタ３０１を介して接続された電子機器との通信の制御、無線通信回路部３０３の制御、メモリ回路部３０４の制御を行う機能を備える。
【００１９】
無線通信回路部３０３は、無線によって同等の無線通信機能を有する電子機器、或いは、その他の情報処理装置等と、データの送信を行う機能を備えている。すなわち、無線通信回路部３０３は、他の電子機器との間でデータの送受信を行う。この無線通信回路部３０３は、例えば無線ＬＡＮ等の電波による無線通信を行う。また、無線通信は、赤外線を用いてもよい。この無線通信回路部３０３は、電力の供給を受け通電した際に、無線通信機能を有効とするか無効とするかの既定値（以下、「無線通信の既定値」という）を事前に設定することができる。無線通信の既定値を有効とした場合には、通電を検知した際に無線通信機能を有効とし、無線通信の既定値を無効とした場合には、通電を検知した際に無線通信機能を無効とする。また、特に無線機能の既定値を設定しない場合には、無線通信の既定値は有効とする。
メモリ回路部３０４は、ＥＥＰＲＯＭやフラッシュ型ＥＥＰＲＯＭ等の書き換え可能な不揮発性メモリ素子で構成され、接続コネクタ３０１で接続された電子機器から供給されるデータを記憶する機能を備える。
【００２０】
＜デジタルカメラとＰＣと無線ＬＡＮ機能付き記録メディアの接続構成＞
図４は、デジタルカメラ１００とＰＣ２００と無線ＬＡＮ機能付き記録メディア３００とを接続した状態を示すブロック図である。
ＰＣ２００とデジタルカメラ１００とは、通信ケーブル４０１を介して接続される。通信ケーブル４０１としては、ＰＴＰ規格に従ってデータを送受信できるものである限り、いかなるものでも構わない。一例として、ＵＳＢケーブルが利用可能である。また、デジタルカメラ１００とＰＣ２００とは、有線ではなく、例えばＩＥＥＥ８０２．１１ｘ（ｘはａ，ｂ，ｇ，ｎ等）に準拠した無線インターフェイスによって接続されていてもよい。
ＰＣ２００と無線ＬＡＮ機能付き記録メディア３００とは、カードアダプタ４０２を介して接続される。カードアダプタ４０２としては、ＰＣ２００及び無線ＬＡＮ機能付き記録メディア３００の間でデータを送受信できるものである限り、いかなるものでも構わない。一例として、ＵＳＢカードリーダーが利用可能である。また、カードアダプタ４０２はＰＣ２００に内蔵されていてもよい。
【００２１】
＜ＰＣを利用して無線ＬＡＮ機能付き記録メディアにデジタルカメラのＢｏｄｙＩＤを登録する際のＰＣの処理＞
以下、デジタルカメラ１００の個体識別情報（以下、「ＢｏｄｙＩＤ」という）を無線ＬＡＮ機能付き記録メディア３００に登録する際のＰＣ２００の処理について、図５及び図６を参照して説明する。
図５は、ＰＣ２００を利用して無線ＬＡＮ機能付き記録メディア３００にＢｏｄｙＩＤを登録する際のＰＣ２００の処理手順を示すフローチャートである。この処理手順は、ＰＣ２００のＣＰＵ２０１がプログラムを実行することにより実現される。
【００２２】
ステップＳ５０１で、ＣＰＵ２０１は、無線機能ＬＡＮ機能付き記録メディア３００と接続したか否かを判定し、接続を検知すると、ステップＳ５０２に移行する。
ステップＳ５０２で、ＣＰＵ２０１は、無線ＬＡＮ機能付き記録メディア３００に対して転送設定取得要求を行い、ステップＳ５０３に移行する。転送設定が含む情報としては、無線ＬＡＮ機能付き記録メディア３００に設定されている転送先のＰＣやネットワークストレージ、ＢｏｄｙＩＤを登録しているか否か等の情報がある。
ステップＳ５０３で、ＣＰＵ２０１は、無線ＬＡＮ機能付き記録メディア３００より転送設定を取得して、ステップＳ５０４に移行する。
【００２３】
ステップＳ５０４で、ＣＰＵ２０１は、表示装置２０７に図７に示すような転送設定画面を表示し、ステップＳ５０５に移行する。図７は、ＰＣ２００での転送設定画面の一例を示す図である。ＣＰＵ２０１は、表示装置２０７に本画面の表示を行う。チェックボックス７０１は、無線ＬＡＮ機能付き記録メディア３００にＢｏｄｙＩＤを登録するか否かを設定可能な機能選択部であり、ユーザに設定させることが可能である。釦７０２は、登録釦であり、押下するとＣＰＵ２０１が、無線ＬＡＮ機能付き記録メディア３００にＢｏｄｙＩＤを登録する処理を開始する。
【００２４】
ステップＳ５０５で、ＣＰＵ２０１は、無線ＬＡＮ機能付き記録メディア３００にＢｏｄｙＩＤを登録するか否かを判定する。上述した転送設定画面において、キーボード２０９又はポインティングデバイス２１０をユーザが操作することによって、無線ＬＡＮ機能付き記録メディア３００にＢｏｄｙＩＤを登録するか否かが選択される。ＢｏｄｙＩＤを登録する場合、ステップＳ５０６に移行し、そうでない場合、ステップＳ５１７に移行する。
【００２５】
ステップＳ５０６で、ＣＰＵ２０１は、ステップＳ５０３において取得した転送設定から無線ＬＡＮ機能付き記録メディア３００にＢｏｄｙＩＤが登録済みか否かを判定する。無線ＬＡＮ機能付き記録メディア３００にＢｏｄｙＩＤが登録済みである場合、ステップＳ５０７に移行し、そうでない場合、ステップＳ５０９に移行する。
ステップＳ５０７で、ＣＰＵ２０１は、無線ＬＡＮ機能付き記録メディア３００に登録されているＢｏｄｙＩＤの登録解除処理を行う。このＢｏｄｙＩＤの登録解除処理については、図６を用いて後述する。その後、ステップＳ５０８に移行する。
【００２６】
ステップＳ５０８で、ＣＰＵ２０１は、ＢｏｄｙＩＤの登録解除に成功したか否かを判定する。ＢｏｄｙＩＤの登録解除に成功した場合、ステップＳ５０９に移行し、そうでない場合、ステップＳ５１７に移行する。
ステップＳ５０９で、ＣＰＵ２０１は、無線インターフェイス２０５又は通信インターフェイス２１２を介してデジタルカメラ１００と接続したか否かを判定し、接続を検知すると、ステップＳ５１０に移行する。
【００２７】
ステップＳ５１０で、ＣＰＵ２０１は、デジタルカメラ１００に対してＢｏｄｙＩＤ取得要求を行い、ステップＳ５１１に移行する。
ステップＳ５１１で、ＣＰＵ２０１は、デジタルカメラ１００から所定時間内にＢｏｄｙＩＤを取得できたか否かを判定する。ＢｏｄｙＩＤを取得できた場合、ステップＳ５１２に移行し、そうでない場合、ステップＳ５１５に移行し、表示装置２０７にＢｏｄｙＩＤ登録失敗画面を表示し、ステップＳ５１６に移行する。
ステップＳ５１２で、ＣＰＵ２０１は、無線ＬＡＮ機能付き記録メディア３００に対してＢｏｄｙＩＤ登録要求を行い、ステップＳ５１３に移行する。
ステップＳ５１３で、ＣＰＵ２０１は、無線ＬＡＮ機能付き記録メディア３００からＢｏｄｙＩＤ登録完了通知を取得して、ステップＳ５１４に移行する。
ステップＳ５１４で、ＣＰＵ２０１は、表示装置２０７にＢｏｄｙＩＤ登録成功画面を表示し、ステップＳ５１６に移行する。
【００２８】
ステップＳ５１６で、ＣＰＵ２０１は、デジタルカメラ１００との接続を切断し、ステップＳ５１７に移行する。
ステップＳ５１７で、ＣＰＵ２０１は、無線ＬＡＮ機能付き記録メディア３００との接続を切断し、無線ＬＡＮ機能付き記録メディア３００にＢｏｄｙＩＤを登録する処理を終了する。
【００２９】
図６は、図５のステップＳ５０７の処理、すなわち無線ＬＡＮ機能付き記録メディア３００に登録されているＢｏｄｙＩＤの登録を解除する際のＰＣ２００の処理手順を示すフローチャートである。
ステップＳ６０１で、ＣＰＵ２０１は、無線インターフェイス２０５又は通信インターフェイス２１２を介してデジタルカメラ１００と接続したか否かを判定し、接続を検知すると、ステップＳ６０２に移行する。
ステップＳ６０２で、ＣＰＵ２０１は、デジタルカメラ１００に対してＢｏｄｙＩＤ取得要求を行い、ステップＳ６０３に移行する。
ステップＳ６０３で、ＣＰＵ２０１は、デジタルカメラ１００から所定時間内にＢｏｄｙＩＤを取得できたか否かを判定する。ＢｏｄｙＩＤを取得できた場合、ステップＳ６０４に移行し、そうでない場合、ステップＳ６０７に移行する。
ステップＳ６０４で、ＣＰＵ２０１は、無線ＬＡＮ機能付き記録メディア３００に対して登録解除要求を行うとともにＢｏｄｙＩＤを通知し、ステップＳ６０５に移行する。
ステップＳ６０５で、ＣＰＵ２０１は、無線ＬＡＮ機能付き記録メディア３００から登録解除成功通知を取得できたか否かを判定する。登録解除通知を取得できた場合、ステップＳ６０６に移行し、そうでない場合、ステップＳ６０７に移行する。
【００３０】
ステップＳ６０６で、ＣＰＵ２０１は、表示装置２０７にＢｏｄｙＩＤ登録解除成功画面を表示し、ステップＳ６０８に移行する。一方、ステップＳ６０７で、ＣＰＵ２０１は、表示装置２０７にＢｏｄｙＩＤ登録解除失敗画面を表示し、ステップＳ６０８に移行する。
ステップＳ６０８で、ＣＰＵ２０１は、デジタルカメラ１００との接続を切断し、無線ＬＡＮ機能付き記録メディア３００に登録されたＢｏｄｙＩＤの登録を解除する処理を終了する。
【００３１】
＜ＰＣを利用して無線ＬＡＮ機能付き記録メディアにデジタルカメラのＢｏｄｙＩＤを登録する際の無線ＬＡＮ機能付き記録メディアの処理＞
以下、デジタルカメラ１００のＢｏｄｙＩＤを無線ＬＡＮ機能付き記録メディア３００に登録する際の無線ＬＡＮ機能付き記録メディア３００の処理について、図８及び図９を参照して説明する。
図８は、ＰＣ２００を利用して無線ＬＡＮ機能付き記録メディア３００にＢｏｄｙＩＤを登録する際の無線ＬＡＮ機能付き記録メディア３００の処理手順を示すフローチャートである。この処理手順は、無線ＬＡＮ機能付き記録メディア３００のマイコン３０２がプログラムを実行することにより実現される。
【００３２】
ステップＳ８０１で、マイコン３０２は、コネクタ３０１を介してＰＣ２００と接続したか否かを検知し、接続を検知すると、ステップＳ８０２に移行する。
ステップＳ８０２で、マイコン３０２は、ＰＣ２００から転送設定取得要求を取得したか否かを判定する。転送設定取得要求を取得した場合、ステップＳ８０３に移行し、そうでない場合、ステップＳ８０４に移行する。
ステップＳ８０３で、マイコン３０２は、ＰＣ２００に転送設定を通知し、ステップＳ８０４に移行する。
【００３３】
ステップＳ８０４で、マイコン３０２は、ＰＣ２００からＢｏｄｙＩＤ登録要求を取得したか否かを判定する。ＢｏｄｙＩＤ登録要求を取得した場合、ステップＳ８０５に移行し、そうでない場合、ステップＳ８０８に移行する。
ステップＳ８０５で、マイコン３０２は、ＰＣ２００から取得したＢｏｄｙＩＤをメモリ回路部３０４に記録し、ステップＳ８０６に移行する。
ステップＳ８０６で、マイコン３０２は、無線通信回路部３０３の無線通信の既定値を無効に設定し、ステップＳ８０７に移行する。
ステップＳ８０７で、マイコン３０２は、ＰＣ２００にＢｏｄｙＩＤ登録完了通知を行い、ステップＳ８０８に移行する。
【００３４】
ステップＳ８０８で、マイコン３０２は、ＰＣ２００からＢｏｄｙＩＤ登録解除要求を取得したか否かを判定する。ＢｏｄｙＩＤ登録解除要求を取得した場合、ステップＳ８０９に移行し、そうでない場合、ステップＳ８１０に移行する。
ステップＳ８０９で、マイコン３０２は、無線ＬＡＮ機能付き記録メディア３００に登録されているＢｏｄｙＩＤの登録解除処理を行う。このＢｏｄｙＩＤの登録解除処理については、図９を用いて後述する。その後、ステップＳ８１０に移行する。
ステップＳ８１０で、マイコン３０２は、コネクタ３０１を介してＰＣ２００との接続が切断されたか否かを判定する。ＰＣ２００との切断を検知した場合、無線ＬＡＮ機能付き記録メディア３００にＢｏｄｙＩＤの登録する処理を終了し、そうでない場合、ステップＳ８０２に戻る。
【００３５】
図９は、図８のステップＳ８０９の処理、すなわち無線ＬＡＮ機能付き記録メディア３００に登録されているＢｏｄｙＩＤの登録を解除する際の無線ＬＡＮ機能付き記録メディア３００の処理手順を示すフローチャートである。
ステップＳ９０１で、マイコン３０２は、ＰＣ２００から通知されたＢｏｄｙＩＤとメモリ回路部３０４に記録しているＢｏｄｙＩＤとを比較し、その比較結果が一致するか否かを判定する。比較結果が一致した場合、ステップＳ９０２に移行し、そうでない場合、無線ＬＡＮ機能付き記録メディア３００に登録されているＢｏｄｙＩＤの登録を解除する処理を終了する。
ステップＳ９０２で、マイコン３０２は、メモリ回路部３０４に記録しているＢｏｄｙＩＤを消去し、ステップＳ９０３に移行する。
ステップＳ９０３で、マイコン３０２は、無線通信回路部３０３の無線通信の既定値を有効に設定し、ステップＳ９０４に移行する。
ステップＳ９０４で、マイコン３０２は、ＰＣ２００にＢｏｄｙＩＤ登録解除成功通知を行い、無線ＬＡＮ機能付き記録メディア３００に登録されているＢｏｄｙＩＤの登録を解除する処理を終了する。
【００３６】
＜ＰＣを利用して無線ＬＡＮ機能付き記録メディアにデジタルカメラのＢｏｄｙＩＤを登録する際のデジタルカメラの処理＞
以下、ＢｏｄｙＩＤを無線ＬＡＮ機能付き記録メディア３００に登録する際のデジタルカメラ１００の処理について、図１０を参照して説明する。
図１０は、ＰＣ２００を利用して無線ＬＡＮ機能付き記録メディア３００にＢｏｄｙＩＤの登録する際のデジタルカメラ１００の処理手順を示すフローチャートである。この処理手順は、デジタルカメラ１００のＣＰＵ１０３がプログラムを実行することにより実現される。
【００３７】
ステップＳ１００１で、ＣＰＵ１０３は、通信部１０９を介してＰＣ２００と接続したか否かを判定し、接続を検知すると、ステップＳ１００２に移行する。
ステップＳ１００２で、ＣＰＵ１０３は、ＰＣ２００からＢｏｄｙＩＤ取得要求を取得したか否かを判定する。ＢｏｄｙＩＤ取得要求を取得した場合、ステップＳ１００３に移行し、そうでない場合、ステップＳ１００４に移行する。
ステップＳ１００３で、ＣＰＵ１０３は、ＰＣ２００にＢｏｄｙＩＤを通知し、ステップＳ１００４に移行する。
ステップＳ１００４で、ＣＰＵ１０３は、通信部１０９を介してＰＣ２００との接続が切断されたか否かを判定する。ＰＣ２００との切断を検知した場合、無線ＬＡＮ機能付き記録メディア３００にＢｏｄｙＩＤの登録する処理を終了し、そうでない場合、ステップＳ１００２に戻る。
【００３８】
＜無線ＬＡＮ機能付き記録メディアがデジタルカメラのＢｏｄｙＩＤを認証する際の無線ＬＡＮ機能付き記録メディアの処理＞
以下、上述した登録処理にて無線ＬＡＮ機能付き記録メディア３００に登録したＢｏｄｙＩＤを認証する際の無線ＬＡＮ機能付き記録メディア３００の処理について、図１１を参照して説明する。
図１１は、ＢｏｄｙＩＤを認証する際の無線ＬＡＮ機能付き記録メディア３００の処理手順を示すフローチャートである。この処理手順は、無線ＬＡＮ機能付き記録メディア３００のマイコン３０２がプログラムを実行することにより実現される。
【００３９】
ステップＳ１１０１で、マイコン３０２は、コネクタ３０１を介してデジタルカメラ１００と接続したか否かを判定し、接続を検知すると、ステップＳ１１０２に移行する。
ステップＳ１１０２で、マイコン３０２は、無線ＬＡＮ機能付き記録メディア３００にＢｏｄｙＩＤが登録済みか否かを判定する。無線ＬＡＮ機能付き記録メディア３００にＢｏｄｙＩＤが登録済みである場合、ステップＳ１１０３に移行し、そうでない場合、ステップＳ１１０７に移行する。
ステップＳ１１０３で、マイコン３０２は、デジタルカメラ１００に対してＢｏｄｙＩＤ取得要求を行い、ステップＳ１１０４に移行する。
ステップＳ１１０４で、マイコン３０２は、デジタルカメラ１００から所定時間内にＢｏｄｙＩＤを取得できたか否かを判定する。ＢｏｄｙＩＤを取得できた場合、ステップＳ１１０５に移行し、そうでない場合、ＢｏｄｙＩＤの認証処理を終了する。
【００４０】
ステップＳ１１０５で、マイコン３０２は、デジタルカメラ１００から取得したＢｏｄｙＩＤとメモリ回路部３０４に記録しているＢｏｄｙＩＤとを比較し、その比較結果が一致するか否かを判定する。比較結果が一致した場合、ステップＳ１１０６に移行し、そうでない場合、ＢｏｄｙＩＤの認証処理を終了する。
ステップＳ１１０６で、マイコン３０２は、無線通信回路部３０３の無線通信機能を有効に設定し、ステップＳ１１０７に移行する。
ステップＳ１１０７で、マイコン３０２は、無線通信回路部３０３を介してメモリ回路部３０４に記録している未だ転送していない画像ファイルを転送し、ＢｏｄｙＩＤの認証処理を終了する。
【００４１】
＜無線ＬＡＮ機能付き記録メディアがデジタルカメラのＢｏｄｙＩＤを認証する際のデジタルカメラの処理＞
以下、上述した登録処理にて無線ＬＡＮ機能付き記録メディア３００に登録したＢｏｄｙＩＤを認証する際のデジタルカメラ１００の処理について、図１２を参照して説明する。
図１２は、無線ＬＡＮ機能付き記録メディア３００がＢｏｄｙＩＤを認証する際のデジタルカメラ１００の処理手順を示すフローチャートである。この処理手順は、デジタルカメラ１００のＣＰＵ１０３がプログラムを実行することにより実現される。
【００４２】
ステップＳ１２０１で、ユーザによりデジタルカメラ１００が起動されると、ステップＳ１２０２に移行する。
ステップＳ１２０２で、ＣＰＵ１０３は、無線ＬＡＮ機能付き記録メディア３００からＢｏｄｙＩＤ取得要求を取得したか否かを判定する。ＢｏｄｙＩＤ取得要求を取得した場合、ステップＳ１２０３に移行し、そうでない場合、ステップＳ１２０４に移行する。
ステップＳ１２０３で、ＣＰＵ１０３は、無線ＬＡＮ機能付き記録メディア３００にＢｏｄｙＩＤを通知し、ステップＳ１２０４に移行する。
ステップＳ１２０４にて、ＣＰＵ１０３は、ユーザによりデジタルカメラ１００の電源が切断されたか否かを判定する。電源が切断された場合、ＢｏｄｙＩＤの認証処理を終了し、そうでない場合、ステップＳ１２０２に戻る。
【００４３】
［第２の実施形態］
＜デジタルカメラの構成と無線ＬＡＮ機能付き記録メディアの構成＞
第２の実施形態では、デジタルカメラ１００の記憶媒体１０６として、無線ＬＡＮ機能付き記録メディア３００が装着された場合における、無線ＬＡＮ機能付き記録メディア３００の制御について説明する。
なお、第２の実施形態に係るデジタルカメラ１００及び無線ＬＡＮ機能付き記録メディア３００の構成は第１の実施形態と同様であり、ここではその詳細な説明は省略する。
【００４４】
＜無線ＬＡＮ機能付き記録メディアの処理＞
無線ＬＡＮ機能付き記録メディア３００が、デジタルカメラ１００の記憶媒体１０６として装着された場合における、無線ＬＡＮ機能付き記録メディア３００でのＢｏｄｙＩＤの認証処理と登録処理について、図１３、図１４を参照して説明する。
図１３は、無線ＬＡＮ機能付き記録メディア３００がＢｏｄｙＩＤを認証する際の無線ＬＡＮ機能付き記録メディア３００の処理手順を示すフローチャートである。この処理手順は、無線ＬＡＮ機能付き記録メディア３００のマイコン３０２がプログラムを実行することにより実現される。
【００４５】
ステップＳ１３０１で、マイコン３０２は、コネクタ３０１を介してデジタルカメラ１００と接続したか否かを判定し、接続を検知すると、ステップＳ１３０２に移行する。
ステップＳ１３０２で、マイコン３０２は、無線ＬＡＮ機能付き記録メディア３００にＢｏｄｙＩＤが登録済みか否かを判定する。無線ＬＡＮ機能付き記録メディア３００にＢｏｄｙＩＤが登録済みである場合、ステップＳ１３０４に移行し、そうでない場合、ステップＳ１３０３に移行する。
ここで、図１３のステップＳ１３０４〜ステップＳ１３０８の処理は、図１１に示すステップＳ１１０３〜ステップＳ１１０７の処理と同じ処理であるため、ここでの説明を省略する。
ステップＳ１３０３で、マイコン３０２は、ＢｏｄｙＩＤの登録処理を行う。このＢｏｄｙＩＤの登録処理については、図１４を用いて後述する。その後、ステップＳ１３０７に移行する。
【００４６】
図１４は、図１３のステップＳ１３０３の処理、すなわち無線ＬＡＮ機能付き記録メディア３００がＢｏｄｙＩＤを登録する際の処理手順を示すフローチャートである。
ステップＳ１４０１で、マイコン３０２は、デジタルカメラ１００に対してＢｏｄｙＩＤ登録要求を行い、ステップＳ１４０２に移行する。
ステップＳ１４０２で、マイコン３０２は、デジタルカメラ１００から所定時間内にＢｏｄｙＩＤを取得できたか否かを判定する。ＢｏｄｙＩＤを取得できた場合、ステップＳ１４０３に移行し、そうでない場合、ＢｏｄｙＩＤの登録処理を終了する。
ステップＳ１４０３で、マイコン３０２は、ＰＣ２００から取得したＢｏｄｙＩＤをメモリ回路部３０４に記録し、ステップＳ１４０４に移行する。
ステップＳ１４０４で、マイコン３０２は、無線通信回路部３０３の無線通信の既定値を無効に設定し、ＢｏｄｙＩＤの登録処理を終了する。
【００４７】
＜デジタルカメラの処理＞
無線ＬＡＮ機能付き記録メディア３００装着時におけるデジタルカメラ１００のＢｏｄｙＩＤの認証処理と登録処理について、図１５、図１６を参照して説明する。
図１５は、無線ＬＡＮ機能付き記録メディア３００がＢｏｄｙＩＤを認証する際のデジタルカメラ１００の処理手順を示すフローチャートである。この処理手順は、デジタルカメラ１００のＣＰＵ１０３がプログラムを実行することにより実現される。
【００４８】
ステップＳ１５０１で、ユーザによりデジタルカメラ１００が起動されると、ステップＳ１５０２に移行する。
ステップＳ１５０２で、ＣＰＵ１０３は、無線ＬＡＮ機能付き記録メディア３００からＢｏｄｙＩＤ取得要求を取得したか否かを判定する。ＢｏｄｙＩＤ取得要求を取得した場合、ステップＳ１５０３に移行し、そうでない場合、ステップＳ１５０４に移行する。
ステップＳ１５０３で、ＣＰＵ１０３は、ＢｏｄｙＩＤの登録処理を行う。このＢｏｄｙＩＤの登録処理については、図１６を用いて後述する。その後、ステップＳ１５０６に移行する。
【００４９】
一方、ステップＳ１５０４で、ＣＰＵ１０３は、無線ＬＡＮ機能付き記録メディア３００からＢｏｄｙＩＤ取得要求を取得したか否かを判定する。ＢｏｄｙＩＤ取得要求を取得した場合、ステップＳ１５０５に移行し、そうでない場合、ステップＳ１５０６に移行する。
ステップＳ１５０５で、ＣＰＵ１０３は、無線ＬＡＮ機能付き記録メディア３００にＢｏｄｙＩＤを通知し、ステップＳ１５０６に移行する。
ステップＳ１５０６で、ＣＰＵ１０３は、ユーザによりデジタルカメラ１００の電源が切断されたか否かを判定する。電源が切断された場合、ＢｏｄｙＩＤの認証処理を終了し、そうでない場合、ステップＳ１５０２に戻る。
【００５０】
図１６は、図１５のステップＳ１５０３の処理、すなわち無線ＬＡＮ機能付き記録メディア３００がＢｏｄｙＩＤを登録する際のデジタルカメラ１００の処理手順を示すフローチャートである。
ステップＳ１６０１で、ＣＰＵ１０３は、表示部１０７にＢｏｄｙＩＤ登録画面を表示し、ステップＳ１６０２に移行する。ＣＰＵ１０３は、表示部１０７に登録画面の表示を行う。登録画面には、無線ＬＡＮ機能付き記録メディア３００にＢｏｄｙＩＤを登録するか否かを設定可能な機能選択部を設け、ユーザに設定させることが可能である。
【００５１】
ステップＳ１６０２で、ＣＰＵ１０３は、無線ＬＡＮ機能付き記録メディア３００にＢｏｄｙＩＤを登録するか否かを判定する。上述したＢｏｄｙＩＤ登録画面において、操作部１０８をユーザが操作することによって、無線ＬＡＮ機能付き記録メディア３００にＢｏｄｙＩＤを登録するか否かが選択される。ＢｏｄｙＩＤを登録する場合、ステップＳ１６０３に移行する。一方、ＢｏｄｙＩＤを登録しない場合、ＢｏｄｙＩＤの登録処理を終了する。
ステップＳ１６０３で、ＣＰＵ１０３は、無線ＬＡＮ機能付き記録メディア３００にＢｏｄｙＩＤを通知し、ＢｏｄｙＩＤの登録処理を終了する。
【００５２】
以上、本発明の好ましい実施形態について説明したが、本発明はこれらの実施形態に限定されず、その要旨の範囲内で種々の変形及び変更が可能である。
例えば上記実施形態では、デジタルカメラの個体識別情報としてＢｏｄｙＩＤを採用したが、これに限られず、所有者名等を利用してもよい。
【００５３】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014225779.tif 000003
【図２】
2014225779.tif 000004
【図３】
2014225779.tif 000005
【図４】
2014225779.tif 000006
【図５】
2014225779.tif 000007
【図６】
2014225779.tif 000008
【図７】
2014225779.tif 000009
【図８】
2014225779.tif 000010
【図９】
2014225779.tif 000011
【図１０】
2014225779.tif 000012
【図１１】
2014225779.tif 000013
【図１２】
2014225779.tif 000014
【図１３】
2014225779.tif 000015
【図１４】
2014225779.tif 000016
【図１５】
2014225779.tif 000017
【図１６】
2014225779.tif 000018